(57)【要約】      （修正有）【課題】  書籍の支持が確実で、仰臥位でも見やすく、ページめくりも容易で、かつ簡便な仰臥用書見台を提供する。【解決手段】  書籍１を支持する支持板２と、仰臥した読み手３の視野３０に支持板を保持するスタンド４とからなり、スタンドは、垂直に維持される支柱４１と、支柱から延設された少なくとも１本の腕木４２と、腕木と支持板の間に張架される吊り部材４３とを備え、支柱は腕木の水平移動と上下移動を可能とする調節機構４９を備え、支持板は、複数本の平行な細孔と、細孔に係止するためのフックが装着された複数個のひも状の書籍固定具が細孔と直行して間隔をもって平行に配置して構成され、ひも状の書籍固定具は、弾力性を有する部材で構成される。【選択図】図１
2006101964.tif 000002
【特許請求の範囲】
【請求項１】
書籍（１）を支持する支持板（２）と、仰臥した読み手（３）の視野（３０）に前記支持板を保持するスタンド（４）とからなり、
前記スタンドは、垂直に維持される支柱（４１）と、前記支柱から延設された少なくとも１本の床面と平行な腕木（４２）と、前記腕木と前記支持板の間に張架される吊り部材（４３）とを備えたことを特徴とする仰臥用書見台。
【請求項２】
書籍（１）を支持する支持板（２）と、仰臥した読み手（３）の視野（３０）に前記支持板を保持するスタンド（４）とからなり、
前記スタンドは、垂直に維持される支柱（４１）と、前記支柱の上部に固定され床面と平行な水平板（４０）と、前記水平板に固定された上部腕木（４５）と、前記支柱の途中に取り付けられ前記上部腕木と平行な下部腕木（４４）とを備え、前記上部腕木と前記下部腕木の横断面を互いに向き合ったＬ字型に構成して前記向き合ったＬ字型の腕木間で前記支持板を保持することを特徴とする仰臥用書見台。
【請求項３】
前記支柱は、前記腕木の水平移動と上下移動を可能とする調節機構（４９）を備えたことを特徴とする請求項１または請求項２に記載の仰臥用書見台。
【請求項４】
前記支持板は、複数本の平行な細孔（２１）と複数個のひも状の書籍固定具（２２）とから構成され、
前記複数個のひも状の書籍固定具は、前記細孔と実質的に直行して互いに平行に間隔をもって配置され、
前記ひも状の書籍固定具の先端には、前記細孔に係止するためのフック（２３）が装着されていることを特徴とする請求項１から請求項３のいずれか１項に記載の仰臥用書見台。
【請求項５】
前記ひも状の書籍固定具は、弾力性を有する部材で構成されることを特徴とする請求項１から請求項４のいずれか１項に記載の仰臥用書見台。
【請求項６】
前記ひも状の書籍固定具は、固定具本体（２４）の端部に前記フックを装着するための孔（２４１）を複数個有し、前記書籍の大きさによって選択される長さが得られるよう、前記孔を選択して、前記フックを装着して構成されることを特徴とする請求項１から請求項５のいずれか１項に記載の仰臥用書見台。
【発明の詳細な説明】
【技術分野】
【０００１】
本発明は仰臥用書見台に係り、特に、仰臥した状態での読書に際して所望のページを確実に開き、直接紙面を仰ぎ見て読書できる仰臥用書見台に関する。
【背景技術】
【０００２】
従来、仰臥用書見台としては、書籍を載せる載置板にアクリル等の透明部材を採用したものがある（例えば、特許文献１、２、３、４参照）。また、載置板に透明部材を使用せず、開いたページを支える部材を工夫して書籍を直接下向きに保持するタイプの仰臥用書見台もある（例えば、特許文献５、６参照）。
【０００３】
【特許文献１】実開昭６４−１５２４号
【特許文献２】実開平３−４４４３６号
【特許文献３】実開平４−９３７０３号
【特許文献４】特開２００１−２２４４４２号
【特許文献５】実開平４−１８９９９号
【特許文献６】実開平６−８９４９５号
【発明の開示】
【発明が解決しようとする課題】
【０００４】
しかしながら、書籍を載せる載置板に透明部材を採用した書見台は、書籍の支持は確実であるが、透明部材越しに文字や図柄を見ることになるため鮮明さに欠け、また、紙面が透明部材に密着しない箇所が生じるので読みにくいという不都合があった。さらに、ページめくりにも不便があった。
【０００５】
載置板に透明部材を使用せず、開いたページを支える部材を工夫して書籍を直接下向きに保持するタイプの書見台では、構造が複雑になるという難点がある。
【０００６】
本発明は、これらの難点を解消すべく案出されたもので、仰臥位でも読書しやすく、かつ簡便な仰臥用書見台を提供することを目的とする。
【課題を解決するための手段】
【０００７】
このような目的を達成するために本発明の仰臥用書見台は、書籍を支持する支持板と、仰臥した読み手の視野に支持板を保持するスタンドとからなり、スタンドは、垂直に維持される支柱と、支柱から延設された少なくとも１本の床面と平行な腕木と、腕木と支持板の間に張架される吊り部材とを備えている。
【０００８】
また、本発明の仰臥用書見台は、書籍を支持する支持板と、仰臥した読み手の視野に支持板を保持するスタンドとからなり、スタンドは、垂直に維持される支柱と、支柱の上部に固定され床面と平行な水平板と、水平板に固定された上部腕木と、支柱の途中に取り付けられ上部腕木と平行な下部腕木とを備え、上部腕木と下部腕木の横断面を互いに向き合ったＬ字型に構成して向き合ったＬ字型の腕木間で支持板を保持するものである。
【０００９】
さらに、本発明の仰臥用書見台において、支柱は、腕木の水平移動と上下移動を可能とする調節機構を備えている。
【００１０】
また、本発明の仰臥用書見台では、支持板は、複数本の平行な細孔と複数個のひも状の書籍固定具とから構成され、複数個のひも状の書籍固定具は、細孔と実質的に直行して互いに平行に間隔をもって配置され、ひも状の書籍固定具の先端には、細孔に係止するためのフックが装着されている。
【００１１】
また、本発明の仰臥用書見台では、ひも状の書籍固定具は、弾力性を有する部材で構成される。
【００１２】
さらに、本発明の仰臥用書見台において、ひも状の書籍固定具は、固定具本体の端部にフックを装着するための孔を複数個有し、書籍の大きさによって選択される長さが得られるよう、孔を選択して、フックを装着して構成される。
【発明の効果】
【００１３】
本発明の仰臥用書見台によれば、書籍の支持は確実で、文字や図柄を鮮明に見ることができ、ページめくりやページ押さえがしやすく、構造が単純であるという効果が期待できる。
【発明を実施するための最良の形態】
【００１４】
以下、本発明の仰臥用書見台の好ましい実施例を図面に基づき説明する。
【００１５】
図１（ａ）、（ｂ）に示すように、本発明の仰臥用書見台は、書籍１を支持する支持板２と、仰臥した読み手３の視野３０に支持板２を保持するスタンド４とからなり、スタンド４は、垂直に維持される支柱４１と、支柱４１から延設された２本の腕木４２（４２ａ、４２ｂ）と、２本の腕木４２ａ、４２ｂと支持板２の間に張架される２対の吊り部材４３（４３ａ、４３ａ、４３ｂ、４２ｂ）とを備えている。
【００１６】
腕木４２を支柱４１から延設する際は、接着、ねじ止め、それらの組み合わせ等、公知の方法が好適である。
【００１７】
支持板２を水平に旋回させて視野３０から遠ざけたり、また、支持板２を上下にも移動できるよう、支柱４１は、支持板２を支えている腕木４２ａ、４２ｂの水平移動と上下移動を可能とする調節機構４９を備えている。
【００１８】
図１（ａ）では、支柱４１から２本の腕木４２ａ、４２ｂが延設され、それぞれの腕木４２ａ、４２ｂと支持板４１の間に２対の吊り部材４３ａ、４３ｂが張架されているが、図１（ｂ）に示すように、支柱４１に１本の腕木４２を延設し、その１本の腕木４２から２対の吊り部材４３ａ、４３ａ、４３ｂ、４２ｂを張架しても同様に好適である。吊り部材４３ａ、４３ｂの一端は、腕木４２ａ、４２ｂに螺着されたフック（図示せず）に固定されることが望ましく、他端は長さを調節しながら支持板２の背面に、同じくフック（図示せず）で固定されることが望ましい。なお、フック固定には限定されず、腕木４２ａ、４２ｂ、支持板２の小孔（図示せず）に結び固定しても同様に好適である。
【００１９】
また、本発明の仰臥用書見台は、図２（ａ）、（ｂ）に示すように、書籍１を支持する支持板２と、仰臥した読み手３の視野３０に支持板２を保持するスタンド４とからなり、スタンド４は、垂直に維持される支柱４１と、支柱４の上部に固定され床面と平行な水平板４０と、水平板４０に固定された上部腕木４５と、支柱４１の途中に取り付けられ上部腕木４５と平行な下部腕木４４とを備え、上部腕木４５と下部腕木４４の横断面を互いに向き合ったＬ字型に構成して向き合ったＬ字型の腕木間で支持板２を保持する
支柱４１の上部に水平板４０を床面と平行に固定する際は、接着、ねじ止め、それらの組み合わせ等、公知の方法が好適である。
【００２０】
また、水平板４０に上部腕木４５を固定する方法、支柱４１の途中に上部腕木４５と平行な下部腕木４４を固定する方法も、上述のように接着、ねじ止め、それらの組み合わせ等、公知の方法が好適に採用される。
【００２１】
支柱４１は、支持板２を水平に旋回させて視野３０から遠ざけたり、また、支持板２を上下にも移動できるよう、腕木４４、４５の水平移動と上下移動を可能にするため、後述する調節機構４９を備えている。
【００２２】
図３（ａ）に示すように、本発明の仰臥用書見台に採用される支持板２は、複数本の平行な細孔２１、２１、‥と、複数個のひも状書籍固定具２２、２２、‥とを有している。
【００２３】
これら複数個のひも状の書籍固定具２２、２２、‥は、互いに平行に、間隔をもって細孔２１、２１、‥と実質的に直角に配置され、ひも状の書籍固定具２２、２２、‥の先端には、書籍１を保持して細孔２１に係止するためのフック２３をそれぞれ有している。
【００２４】
フック２３の形状は図３（ａ）のように（Ｌ字の最後が跳ね返った）鉤型でも好適であるが、図４（ａ）のように変形Ｓ字型にするとより好適である。フック２３の素材は、金属あるいは合成樹脂が適宜選択される。
【００２５】
上述のように複数個のひも状書籍固定具２２、２２、‥を間隔をもって細孔２１、２１、‥と実質的に直角に配置するにあたり、ひも状書籍固定具２２の一端を支持板２の細孔２１に沿って設けたねじ等（図示せず）に結びつけてもよいし、ひも状書籍固定具２２の両端部に細孔２１に係止するためのフック２３を設け、フック２３を支持板２の表面から細孔２１を通し、裏面で細孔２１周辺の支持板２の部材に係止させながら所望の間隔で配置するように構成してもよい。
【００２６】
なお、ひも状書籍固定具２２の固定具本体部２４は、弾性を有しかつ伸びすぎないゴムひも、ばね等の部材が好適である。
【００２７】
図４（ａ）に示すように、ひも状書籍固定具２２において、固定具本体部２４の両端部に複数個のフック装着穴２４１、２４１、‥を設け、図４（ｂ）に示すように、書籍１の大きさ（高さ）に合わせて選択されたフック装着穴２４１にフック２３を装着し、そのフック２３を支持板２の細孔２１に装着すれば、固定具本体部２４に弾性部材を用いなくても書籍１は支持板２に確実に固定される。
【００２８】
また、支柱４１の調節機構４９は、図１（ｃ）に示すように、支柱４１を径の異なる上パイプ４１ａと下パイプ４１ｂに分離し、上パイプ４１ａと下パイプ４１ｂの重なりを調節してリング４１ｃで締付ける構造が好適である。
【００２９】
あるいは、図２（ｃ）に示すように、支柱４１の調節機構４９は、支柱４１を径の異なる上パイプ４１ａと下パイプ４１ｂに分離し、上パイプ４１ａに小孔４２ａ、４２ａ、‥を複数箇所うがち、下パイプ４１ｂには上パイプ４１ａの小孔４２ａ、４２ａ、‥に対応する小孔４２ｂ、４２ｂ、‥を複数箇所うがち、上パイプ４１ａの小孔４２ａと下パイプ４１ｂの小孔４２ｂを適宜組み合わせて位置決めし、止め具（例えばビスやピン）で固定する。径の円周上に、複数列の小孔４２ｃ、４２ｄ、４２ｅ、４２ｆをうがち、円周上の複数箇所で固定すればより確実に固定される。
【００３０】
支持板２を保持するスタンド４は、図１（ａ）に示すように、実質的に平板のベース５または４脚等によって垂直に支持される。あるいは、図２（ａ）に示すように、クランプ４７によってベッドの脚６やその他の安定した家具に固定して垂直に支持される。
【００３１】
本発明の仰臥用書見台の構成部材としては、フック２３、固定具本体部２４、ビスやピン以外は、木材、プラスチック、金属等が好適である。木材として高級な銘木を使用すれば、無機的な内装材の多用されている今風の居住空間内の雰囲気を落ち着かせる効果も期待できる。
【００３２】
以下に、本発明の仰臥用書見台の動作を説明する。
【００３３】
座位あるいは椅座位で読書したくても、病気の回復期にあってその姿勢がとれない人、あるいは寝ながら読書をしたい人等が、本発明における仰臥用書見台を使用する。
【００３４】
まず、書籍１を支持板２のひも状の書籍固定具２２を用いて固定する。重い書籍１、厚い書籍１のときには、図１（ａ）、図３（ｃ）に示すように、書籍の読書面にひも状の書籍固定具２２の本体２４、２４、‥を当接し、フック２３、２３、‥を支持板２の細孔２１にかけて固定する。軽い書籍１、薄手の書籍１のときには、図２（ｂ）、図３（ｂ）に示すように、ひも状の書籍固定具２２の本体２４、２４、‥を支持板２の背面にまわし、支持板２の細孔２１からフック２３、２３、‥を出して書籍の読書面の上端と下端にかけて固定することができる。
【００３５】
そして、横書きの書籍１では、図４（ｃ）のように、開いた状態の右上と左下のフック２３をページの表面に出し、他のフック２３は厚さの途中にはさんでおけば、紙面を押さえられるとともに、ページめくりが容易である。
【００３６】
縦書きの書籍１では、同図（ｄ）のように、左上と右下のフック２３をページの表面に出し、他のフック２３は厚さの途中にはさんでおけば、同様にページめくりが容易となる。
【００３７】
書籍１が固定された支持板２は、図１（ａ）、（ｂ）のように、２本の腕木４２ａ、４２ｂと支持板２の間に２対の吊り部材４３ａ、４３ｂを張架して支持板２を保持する。あるいは、図２（ａ）、（ｂ）のように、Ｌ字型に構成された上腕木４５、下腕木４４間で保持する。
【００３８】
スタンド４の支柱４１の調節機構４９を操作し、腕木４２ａ、４２ｂあるいは上腕木４５、下腕木４４の位置を移動して、読み手３の視野３０に最適となるよう、支持板２を位置決めする。
【００３９】
フック２３でページを押さえていて次ページに移るとき、読み手３は、紙面をやや下にずらしながら上側のフック２３から外してつまみ上げ、隣ページ下のフック２３に差し込むようにすれば、ページは固定される。フック２３の全てを動かす必要はない。
【００４０】
図３（ｃ）のように、固定具本体２４でページを押さえていて次ページに移るときには、読み手３は、左右の固定具本体２４のみ持ち上げて紙面を移動させる。５本の固定具本体２４を使用していても、ページめくり時には中３本の固定具本体２４はそのままでよい。
【産業上の利用可能性】
【００４１】
本発明における仰臥用書見台に採用される図３（ａ）、（ｂ）に示すひも状の書籍固定具２２は、２本を単体で用いて、読書時のページ押さえとしおりの機能を発揮する。
【図面の簡単な説明】
【００４２】
【図１】本発明における仰臥用書見台の一実施例を示す図で、（ａ）は全体図、（ｂ）は支持板２の固定を説明する図、（ｃ）は支柱の調節機構を説明する図である。
【図２】本発明における仰臥用書見台の他実施例を示す図で、（ａ）は全体図、（ｂ）は支持板２の固定を説明する図、（ｃ）、（ｄ）は支柱の調節機構を説明する図である。
【図３】本発明における仰臥用書見台の支持板２を示す図で、（ａ）は書籍を固定する前の図、（ｂ）、（ｃ）は書籍を固定した状態の説明図である。
【図４】本発明における仰臥用書見台の支持板２を示す図で、（ａ）はフックと本体部の関係を示す図、（ｂ）はひも状書籍固定具のフックと支持板および書籍の関係を説明する図、（ｃ）、（ｄ）はフックと書籍の見開き状態の説明図である。
【符号の説明】
【００４３】
１…書籍
２…支持板
２１…細孔
２２…ひも状の書籍固定具
２３…フック
２４…固定具本体
３…読み手
３０…読み手の視野
４…スタンド
４０…水平板
４１…支柱
４２、４４、４５…腕木
４３…吊り部材
４９…調節機構
【図１】
2006101964.tif 000003
【図２】
2006101964.tif 000004
【図３】
2006101964.tif 000005
【図４】
2006101964.tif 000006